(57)【要約】【課題】カメラの姿勢が変化しても、必要な情報を迅速に認識できるように表示する技術の実現。【解決手段】撮像装置は、被写体を撮像する撮像手段と、数値、文字若しくは画像又はこれらの組み合わせからなる、撮像装置に設定された撮影設定を表す撮影情報を表示する表示手段と、前記撮像装置の姿勢を検出する検出手段と、前記撮像装置の姿勢が横位置である場合及び第１の縦位置である場合には前記撮影情報を同一のレイアウトで、かつ回転することなく表示し、前記撮像装置の姿勢が前記第１の縦位置と上下が反対である第２の縦位置である場合には前記撮影情報を前記横位置及び前記第１の縦位置の場合と同じレイアウトで、かつ、前記横位置及び前記第１の縦位置の場合から１８０度回転した向きで表示するよう前記表示手段を制御する制御手段と、を有する。【選択図】図１３
2011139491.tif 000002
【特許請求の範囲】
【請求項１】
被写体を撮像する撮像手段と、
数値、文字若しくは画像又はこれらの組み合わせからなる、撮像装置に設定された撮影設定を表す撮影情報を表示する表示手段と、
前記撮像装置の姿勢を検出する検出手段と、
前記撮像装置の姿勢が横位置である場合及び第１の縦位置である場合には前記撮影情報を同一のレイアウトで、かつ回転することなく表示し、
前記撮像装置の姿勢が前記第１の縦位置と上下が反対である第２の縦位置である場合には前記撮影情報を前記横位置及び前記第１の縦位置の場合と同じレイアウトで、かつ、前記横位置及び前記第１の縦位置の場合から１８０度回転した向きで表示するよう前記表示手段を制御する制御手段と、を有することを特徴とする撮像装置。
【請求項２】
前記表示手段は、前記撮影情報と共に、当該撮影情報に部分的にオーバラップして表示される、当該撮影情報とは異なる特定の文字情報を表示し、
前記制御手段は、前記特定の文字情報のレイアウト及び向きを前記撮像装置の姿勢に応じて変更するよう前記表示手段を制御することを特徴とする請求項１に記載の撮像装置。
【請求項３】
前記制御手段は、前記撮像装置の姿勢にかかわらず、前記撮影情報のうち撮影時の条件に関する情報を表示する領域に前記特定の文字情報がオーバラップしないよう前記表示手段を制御することを特徴とする請求項２に記載の撮像装置。
【請求項４】
前記撮影時の条件に関する情報は、シャッタスピード、絞り値、及び露出レベルの少なくともいずれかを含むことを特徴とする請求項３に記載の撮像装置。
【請求項５】
前記第２の縦位置は、前記撮像装置のグリップ部が下方に位置する姿勢であることを特徴とする請求項１ないし４のいずれか１項に記載の撮像装置。
【請求項６】
前記特定の文字情報は、前記撮像装置に関するエラー又は警告情報であることを特徴とする請求項２ないし４のいずれか１項に記載の撮像装置。
【請求項７】
前記制御手段は、前記特定の文字情報が常に正視できる形態で表示されるよう前記表示手段を制御することを特徴とする請求項２ないし４のいずれか１項に記載の撮像装置。
【請求項８】
被写体を撮像する撮像手段と、
数値、文字若しくは画像又はこれらの組み合わせからなる、撮像装置に設定された撮影設定を表す撮影情報を表示する表示手段と、
前記撮像装置の姿勢を検出する検出手段と、を有する撮像装置の表示制御方法であって、
前記撮像装置の姿勢が横位置である場合及び第１の縦位置である場合には前記撮影情報を同一のレイアウトで、かつ回転することなく表示し、
前記撮像装置の姿勢が前記第１の縦位置と上下が反対である第２の縦位置である場合には前記撮影情報を前記横位置及び前記第１の縦位置の場合と同じレイアウトで、かつ、前記横位置及び前記第１の縦位置の場合から１８０度回転した向きで表示するよう前記表示手段を制御することを特徴とする表示制御方法。
【請求項９】
コンピュータを、請求項１ないし７のいずれか１項に記載の撮像装置の各手段として機能させるためのプログラム。
【請求項１０】
コンピュータを、請求項１ないし７のいずれか１項に記載の撮像装置の各手段として機能させるためのプログラムを記憶したコンピュータによる読み取りが可能な記憶媒体。
【発明の詳細な説明】
【技術分野】
【０００１】
本発明は、微小画素の２次元配列により構成される表示装置を有する撮像装置の表示制御技術に関するものである。
【背景技術】
【０００２】
近年のデジタルカメラにおいては、表示装置としてＴＦＴ液晶モニタ等の、微小画素を２次元配列することにより構成されるドットマトリクスタイプの表示装置を有することが一般的である。
【０００３】
このドットマトリクスタイプの表示装置は、従来の機能毎に専用の表示セグメントを有するセグメント表示タイプの表示装置対して表示の自由度が大幅に向上しており、その特性を活かす各種の提案がなされている。
【０００４】
図１８は、特許文献１に記載されたカメラの表示装置の表示態様を示す図である。
【０００５】
図１８において４０１はフルドットマトリクスのＬＣＤ表示装置である。
【０００６】
本カメラには姿勢検出センサが備えられており、姿勢検出センサにより、カメラ本体の姿勢が縦であるか横であるかが検出される。縦構図である場合には、ＬＣＤ表示装置４０１における表示を横表示から縦表示に変更するためのデータ変換が行われ、これが表示される。
【０００７】
図１８（ａ）は横表示であるが、姿勢検出センサにより、カメラが縦構図に構えられていることが検出された場合には、図１８（ｂ）に示すような縦表示画面に表示が切り替わる。
【先行技術文献】
【特許文献】
【０００８】
【特許文献１】特開２００４−２０１１０４号公報
【発明の概要】
【発明が解決しようとする課題】
【０００９】
しかしながら、上記特許文献１に記載されたカメラ構成では、カメラの姿勢によりＬＣＤ表示装置４０１の表示レイアウトが変わってしまう。撮影情報は主にアイコンと簡単な数値や文字等で構成されている。これらの表示要素はその形状で直感的に情報内容が把握できるものであり、必ずしも表示要素が正立していなくても、撮影者による情報内容の認識を阻害するものではない。
【００１０】
表示される情報量が少ない場合はともかく、デジタル一眼レフカメラのように多機能な場合、表示する必要のある表示要素が非常に多くなり、限られた表示スペースを有効に活用するため多くの表示要素を複雑に入り組んだ形でレイアウトする必要がある。このような複雑な表示レイアウトがカメラの姿勢が変化するたびに変化すると、必要な情報を探し出すのに時間を有し、必要な情報を迅速に認識することを阻害される問題が発生する。
【００１１】
また、表示要素が主にアイコンと簡単な数値や文字で構成され且つ多くの表示要素が画面内に複雑にレイアウトされている場合には、表示要素が正立しているよりも、常に各表示要素の画面内の位置が変化しない方が総合的な視認性が優れている場合がある。
【００１２】
これに対して、警告、エラー情報表示は文章情報であるため、表示が常に正立している方が明らかに視認性に優れている。
【００１３】
本発明は、上記課題に鑑みてなされ、その目的は、カメラの姿勢が変化しても、必要な情報を迅速に認識できるように表示する技術を実現することである。
【課題を解決するための手段】
【００１４】
上記課題を解決し、目的を達成するために、本発明の撮像装置は、被写体を撮像する撮像手段と、数値、文字若しくは画像又はこれらの組み合わせからなる、撮像装置に設定された撮影設定を表す撮影情報を表示する表示手段と、前記撮像装置の姿勢を検出する検出手段と、前記撮像装置の姿勢が横位置である場合及び第１の縦位置である場合には前記撮影情報を同一のレイアウトで、かつ回転することなく表示し、前記撮像装置の姿勢が前記第１の縦位置と上下が反対である第２の縦位置である場合には前記撮影情報を前記横位置及び前記第１の縦位置の場合と同じレイアウトで、かつ、前記横位置及び前記第１の縦位置の場合から１８０度回転した向きで表示するよう前記表示手段を制御する制御手段と、を有する。
【発明の効果】
【００１５】
本発明によれば、カメラの姿勢が変化しても、必要な情報を迅速に認識できるような表示が可能となる。
【図面の簡単な説明】
【００１６】
【図１】本発明に係る実施形態のデジタル一眼レフカメラを示す上面図。
【図２】本発明に係る実施形態のデジタル一眼レフカメラを示す背面図。
【図３】本実施形態のカメラによるメニュー表示状態を例示する図。
【図４】本実施形態のカメラによる撮影画像表示状態を例示する図。
【図５】本実施形態のカメラによる撮影情報表示状態を例示する図。
【図６】本実施形態のカメラの電気的構成を示すブロック図。
【図７】本実施形態のカメラの動作を示すフローチャート。
【図８】図７のＳ１における撮影情報表示処理を示すフローチャート。
【図９】図７のＳ４，Ｓ６，Ｓ８におけるエラー、警告表示処理を示すフローチャート。
【図１０】カメラの横位置での撮影情報表示態様を例示する図。
【図１１】カメラの縦位置且つグリップ上位置姿勢での撮影情報表示態様（ａ）、グリップ下位置姿勢（ｂ）での撮影情報表示態様を例示する図。
【図１２】カメラの横位置でのエラー表示態様を例示する図。
【図１３】カメラの縦位置且つグリップ上位置姿勢でのエラー表示態様（ａ）、グリップ下位置姿勢でのエラー表示態様（ｂ）を例示する図。
【図１４】カメラの横位置での処理待ち警告表示態様を例示する図。
【図１５】カメラの縦位置且つグリップ上位置姿勢での処理待ち警告表示態様（ａ）、グリップ下位置姿勢での処理待ち警告表示態様（ｂ）を例示する図。
【図１６】カメラの横位置での警告表示態様を例示する図。
【図１７】カメラの縦位置且つグリップ上位置姿勢での警告表示態様（ａ）、グリップ下位置姿勢での警告表示態様（ｂ）を例示する図。
【図１８】従来のカメラの横位置での表示装置の表示態様（ａ）、縦位置での表示態様（ｂ）を例示する図。
【発明を実施するための形態】
【００１７】
以下、本発明を一眼レフデジタルカメラに適用した実施の形態について図面を参照して詳細に説明する。
【００１８】
なお、以下に説明する実施形態は、本発明の実現手段としての一例であり、本発明が適用される装置の構成や各種条件によって適宜修正又は変更されるべきものであり、本発明は以下の実施形態に限定されるものではない。
【００１９】
［カメラの構成］
図１及び図２は、本発明に係る実施形態のデジタル一眼レフカメラを示す上面図及び背面図である。
【００２０】
図１及び図２において、１０１はカメラ本体、１０２はファインダー観察用の接眼窓である。２０１は撮影レンズであり、カメラ本体１０１の本体マウント（不図示）を介して交換可能となっている。
【００２１】
１１５は露出補正ボタン、１０３はＡＥロックボタン、１０４はＡＦ（オートフォーカス）の測距点選択ボタンである。
【００２２】
１０５は撮影操作をするためのレリーズボタンであり、第１ストロークでＳＷ１（図６で後述）がＯＮし、第２ストロークでＳＷ２（図６で後述）がＯＮするよう構成されている。１０６はメイン電子ダイヤルで、１クリック回転操作することにより、位相のずれた２ビットの信号をマイクロコンピュータ１（図６で後述）に送ることにより、回転方向と回転クリック数が検出される。そして、この回転方向と回転クリック数を検出することで、他の操作釦と併用して、カメラに数値を入力したり、設定項目の選択をしたりすることが可能となる。
【００２３】
尚、この情報設定方法は、例えば、特開昭５８−６３９２２号公報や特開昭６０−１０３３３１号公報において公知であるので、詳しい説明は省略する。
【００２４】
１０８は本デジタルカメラの電源をＯＮ／ＯＦＦするメインスイッチである。
【００２５】
１１２は撮影モードを設定するモードダイヤルである。このモードダイヤル１１２を回転させることにより、ＴＶ優先、ＡＶ優先、マニアル、プログラム等の撮影者の意図する撮影モードに設定することができる。
【００２６】
１１３はメニューの設定操作、表示画像の選択、スクロール等を行う４方向ＳＷである。
【００２７】
１１４はメニュで選択した項目の確定操作を行うＳＥＴボタンである。
【００２８】
１０７はＴＦＴ液晶表示装置である。ＴＦＴ液晶表示装置１０７の裏面には不図示のバックライト照明装置が配置されている。
【００２９】
１０９はＴＦＴ液晶表示装置１０７にメニューを表示させるメニューボタンである。カメラの電源が入っている状態でメニューボタン１０９を押すとＴＦＴ液晶表示装置１０７にメニューが表示される。
【００３０】
図３は、本実施形態のデジタルカメラのＴＦＴ液晶表示装置にメニューを表示している状態を例示する図である。
【００３１】
図３に示すように、カメラの電源が入っている状態でメニューボタン１０９を押すとＴＦＴ液晶表示装置１０７に記録画質や、日付／時刻、再生画像の表示形態等の様々な設定を行うメニュー画面が表示される。
【００３２】
以後、このようにＴＦＴ液晶表示装置１０７にメニューが表示されている状態を「メニュー表示状態」という。
【００３３】
メニュー表示状態でのメニューの設定操作は４方向ＳＷ１１３、ＳＥＴボタン１１４によって行う。
【００３４】
メニュー表示状態で、４方向ＳＷを操作することにより設定を変更したい設定項目を選択する。希望の設定項目が選択された時、ＳＥＴボタン１１４を押すと設定項目選択が完了する。設定項目を選択すると、その項目の設定値の選択肢がリスト表示されたり、設定値の数値のバーが表示される。この状態で４方向ＳＷを操作して希望の選択肢や値を選択する。希望の選択肢や値が選択された時、ＳＥＴボタン１１４を押すと設定値の設定が完了する。
【００３５】
１１１はＴＦＴ液晶表示装置１０７に記録媒体２１（図６で後述）に記録された撮影画像を表示するための再生ボタンである。
【００３６】
図４は、本実施形態のデジタルカメラのＴＦＴ液晶表示装置に撮影画像を表示している状態を例示する図である。
【００３７】
カメラの電源が入っている状態で再生ボタン１１１を押すとＴＦＴ液晶表示装置１０７に記録媒体２１（図６で後述）に記録された撮影画像が図４のように表示される。
【００３８】
以後、このようにＴＦＴ液晶表示装置１０７に撮影画像が表示されている状態を「再生画像表示状態」という。
【００３９】
再生画像表示状態では、４方向ＳＷは表示したい画像を選択するスイッチとして機能し、画像を拡大表示している場合は表示位置をスクロールするスイッチとして機能する。
【００４０】
また、再生画像表示状態では、測距点選択ボタン１０４、ＡＥロックボタン１０３はそれぞれ再生画像の拡大、縮小を行う釦として機能する。
【００４１】
１１０はＴＦＴ液晶表示装置１０７に撮影情報を表示させる表示ボタンである。
【００４２】
図５は、本実施形態のデジタルカメラのＴＦＴ液晶表示装置に撮影情報を表示している状態を例示する図である。
【００４３】
図５に示すように、この状態ではＴＦＴ液晶表示装置１０７にシャッタスピード３０１、絞り値３０２、露出レベル表示３０３、ＩＳＯ感度、調光補正量等の撮影情報が表示される。
【００４４】
以後、このようにＴＦＴ液晶表示装置１０７に撮影情報が表示されている状態を「撮影情報表示状態」という。
【００４５】
カメラが撮影可能な状態にあるときには常に撮影情報表示状態となっている。また、カメラの状態がメニュー表示状態、再生画像表示状態の場合でも、レリーズボタン１０５やモードダイヤル１１２、表示ボタン１１０を操作すると即座に撮影情報表示状態となり、撮影可能な状態となる。
【００４６】
以上説明したように、カメラの操作に応じてカメラの状態はメニュー表示状態、再生画像表示状態、撮影情報表示状態へと変化する。
【００４７】
以降の説明では、操作後のカメラがメニュー表示状態となる操作を「メニュー関連操作」という。また、操作後のカメラが再生画像表示状態となる操作を「再生関連操作」という。また、操作後のカメラが撮影情報表示状態となる操作を「撮影関連操作」という。更に、操作後のカメラが電源ＯＦＦ状態となる操作を「終了関連操作」という。
【００４８】
操作部材の中にはカメラの状態によって異なる機能が割り当てられているものがある。例えば、ＡＥロックボタン１０３はカメラの状態がメニュー表示状態のときには機能を有さず、撮影情報表示状態の時にはＡＥロックの機能が、再生画像表示状態の時には再生画像の縮小の機能が割り当てられる。この場合、ＡＥロックボタン１０３の操作は撮影情報表示状態で操作した場合は撮影関連操作、再生画像表示状態で操作した場合は再生関連操作ということになる。
【００４９】
［制御ブロック］
図６は、本実施形態のデジタルカメラの電気的構成を示すブロック図である。
【００５０】
図６において、１はカメラ本体に内蔵された制御手段であるマイクロコンピュータである。
【００５１】
マイクロコンピュータ１には、ミラー駆動回路１１、焦点検出センサ１２、シャッター駆動回路１４、測光センサ１５、姿勢検出センサ１７、映像信号処理回路１０、液晶表示駆動回路１８、ＤＣ／ＤＣコンバータ２３が接続され、これらを統括して制御する。また、マイクロコンピュータ１には、レンズマウントの接点（不図示）を介して撮影レンズ２０１内のレンズマイコン２０５が接続されている。更に、マイクロコンピュータ１はＳＷ１、ＳＷ２、メイン電子ダイヤル１０６、モードダイヤル１１２、その他ＳＷ類の入力を検知する機能を有している。
【００５２】
２１は、例えばＣＦカード等のカメラ本体１０１に対して取り外しが可能な記録媒体である。
【００５３】
２０５は撮影レンズ２０１内に備えられているレンズマイコンで、マイクロコンピュータ１との通信、レンズ内の各デバイスの統括制御を担っている。
【００５４】
２０２は撮影レンズ２０１内に備えられたレンズ駆動回路で、レンズマイコン２０５の制御によって撮影レンズ２０１内のフォーカスレンズ位置を変化させることによりＣＭＯＳ撮像装置７に焦点を合わせる。２０４は撮影レンズ２０１内に備えられている絞り駆動回路で、レンズマイコン２０５の制御によって絞り２０３を変化させて光学的な絞り値を変化させる。
【００５５】
３はメインミラーで撮影レンズ２０１により結像される被写体像を、ペンタダハプリズム２へ導くと共に、その一部を透過させ、後述するサブミラー４を通して焦点検出センサ１２へ導く。メインミラー３はミラー駆動回路１１により、ファインダーにて被写体像を観察可能な位置と撮影時に被写体光束の光路から待避する退避位置とを可動自在に構成されている。
【００５６】
４はメインミラー３の一部を透過した被写体光を反射させて、焦点検出センサ１２へ被写体像を導くためのサブミラーである。サブミラー４は、上記メインミラー３と連動し、当該メインミラー３がファインダーにて被写体像を観察可能な位置にあるときには、焦点検出センサ１２へ被写体光を導く位置に可動する。また、撮影時には被写体光束の光路から待避する退避位置に可動する。
【００５７】
１１はミラー駆動回路で、ＤＣモータとギヤトレイン等から構成され、マイクロコンピュータ１の制御によってメインミラー３やサブミラー４を駆動させる。
【００５８】
２はペンタダハプリズムで、メインミラー３によって導かれた被写体像を正立正像に変換反射する光学部材である。
【００５９】
撮影レンズ２０１を通過した被写体光束は、絞り２０３を通過して、メインミラー３で反射され、ペンタダハプリズム２に導かれる。
【００６０】
撮影レンズ２０１を通過した被写体光束は、さらに測光センサ１５へも導かれる。また、メインミラー３を透過した光束はサブミラー４で反射され、焦点検出センサ１２の検出面上で再結像される。その光像は、電気的なイメージ信号に変換されて焦点検出センサ１２内部の焦点検出回路１３に供給される。
【００６１】
焦点検出回路１３はマイクロコンピュータ１の指示に従い、焦点検出センサ１２の蓄積制御と読み出し制御を行って、画素情報をマイクロコンピュータ１へ出力する。
【００６２】
マイクロコンピュータ１は焦点検出回路１３からの被写体像のイメージ信号に基づいて、周知の位相差検出法による焦点検出演算を行い、撮影レンズ２０１による結像面とフィルム面等の予定結像面との差、即ちデフォーカス量及びデフォーカス方向を算出する。そして、マイクロコンピュータ１は算出したデフォーカス量及びデフォーカス方向に基づいて、レンズ駆動回路２０２を介して撮影レンズ２０１のフォーカスレンズ位置を変化させ合焦位置まで駆動する。
【００６３】
５は機械式シャッター装置であり、フォーカルプレーンシャッターからなる。フォーカルプレーンシャッターは、不図示の先羽根群及び後羽根群を有する。先羽根群はファインダー観察時には被写体光束を遮り、撮像時にはレリーズ信号に応じて被写体光束の光路から待避して露光を開始させる。後羽根群は、、ファインダー観察時には被写体光束の光路から待避していると共に、撮像時には先羽根群の走行開始後所定のタイミングで被写体光束を遮光する。シャッター装置５はマイクロコンピュータ１の指令を受けたシャッター駆動回路１４によって制御される。
【００６４】
１７はカメラの姿勢を検出する姿勢検出センサである。
【００６５】
なお、姿勢検出センサ１７の構成については、特開２０００−１９６１８号公報等で公知であるので説明は省略する。
【００６６】
７は撮影レンズ２０１により結像された被写体像を撮像して電気信号に変換するＣＭＯＳ撮像装置である。８はＣＤＳ／ＡＧＣ回路で、画像信号のノイズの低減等の基本的なアナログ処理、Ａ／Ｄ変換する前のアナログ信号のゲイン調整処理を行う。
【００６７】
９はＡ／Ｄ変換回路であり、アナログの各画素信号をデジタル信号に変換する。
【００６８】
１０は映像信号処理回路で、内部に画像データ処理部１０ａ、画像表示処理部１０ｂ、メモリコントローラ１０ｃ、インターフェース処理部１０ｄ等を有し、ハードウエアによる画像処理全般を担当する。
【００６９】
画像データ処理部１０ａはデジタル化されたＣＭＯＳ撮像装置７の画像データに、レベル補正、ホワイトバランスの調整、ガンマー調整処理、その他フィルター処理、画像データに対するＪＰＥＧ等の圧縮処理等を行う。画像表示処理部１０ｂは表示用の情報合成処理等を行う。
【００７０】
映像信号処理回路１０からの表示用の画像データは、ＴＦＴモニタ駆動回路１９を介してＴＦＴ液晶表示装置１０７に表示される。
【００７１】
これらの機能は、マイクロコンピュータ１との通信により制御される。
【００７２】
画像データは、一旦、バッファメモリ２０に格納され、メモリコントローラ１０ｃを介して映像信号処理回路１０で順次処理される構成となっている。
【００７３】
メモリコントローラ１０ｃでは、映像信号処理回路１０から入力された未処理のデジタル画像データをバッファメモリ２０に格納したり、処理済みの画像データを記録媒体２１に格納する。また、逆にバッファメモリ２０や記録媒体２１から画像データを映像信号処理回路１０に出力する。
【００７４】
２５はパソコンやプリンタ等の外部機器を接続するコネクタ端子である。
【００７５】
インターフェース処理部１０ｄはコネクタ端子２５に接続された外部機器とのデータの送受信処理を行う。
【００７６】
ＳＷ２がオンされると所定のシーケンスに従って、一連の露光処理が開始される。
【００７７】
測光センサ１５は測光回路１６を内蔵しており、測光センサ１５からの出力を画面内の各エリアの輝度信号として、マイクロコンピュータ１に出力する。マイクロコンピュータ１は輝度信号を演算処理し、撮影の露出を算出する。
【００７８】
１８は液晶表示駆動回路で、マイクロコンピュータ１の表示指令に従ってファインダー内液晶表示装置２２を駆動する。
【００７９】
２３はＤＣ／ＤＣコンバータであり、バッテリ２４の電源を各ＩＣ（集積回路）や駆動系に必要な複数の電源に変換する。各ＩＣ（集積回路）や駆動系への電力の供給は、マイクロコンピュータ１により制御される。
【００８０】
［動作の説明］
図７は、本実施形態のデジタルカメラの動作を示すフローチャートである。
【００８１】
電源投入、メモリカード交換、電池交換等でカメラがリセットされると本フローチャートの処理が始まり、Ｓ１の処理へと進む。
【００８２】
Ｓ１では、撮影情報を表示するサブルーチンが呼び出される。本サブルーチン処理の詳細については後述する。本サブルーチン処理が終了するとＳ２へと進む。
【００８３】
Ｓ２では、エラーチェック処理を実施し、カメラが撮影可能な状態かどうか判断する。ここでチェックする内容は、例えばバッテリ２４の残量、記録媒体２１の有無、記録媒体２１のリード／ライトチェック、撮影レンズ２０１との通信チェック、記録媒体２１の残容量、映像信号処理回路１０の処理状況等である。
【００８４】
ここでエラー又は警告すべき項目が確認された場合、エラー内容を記憶する。
【００８５】
エラーチェック処理が終了したらＳ３の処理へ移る。
【００８６】
Ｓ３では、Ｓ２の処理において撮影不可能なエラーが確認されたかどうか判別する。撮影不可能なエラーが確認されていればＳ４の処理へ移り、撮影不可能なエラーが確認されていなければＳ５の処理へと移る。
【００８７】
Ｓ４では、エラー警告表示処理のサブルーチンを呼び出す。本サブルーチン処理の詳細については後述する。サブルーチン処理が終了すると本フローの処理を終了する。
【００８８】
Ｓ５では、Ｓ２の処理において処理待ちの状態であるかどうか確認する。ここで処理待ちの状態とは例えば映像信号処理回路１０が画像処理中で処理終了まで操作を受け付けることができない状態である。処理待ちの状態であればＳ６の処理へ移り、処理待ちの状態でなければＳ７の処理へと移る。
【００８９】
Ｓ６では、エラー警告表示処理のサブルーチンを呼び出す。本サブルーチン処理の詳細については後述する。サブルーチン処理が終了するとＳ２の処理へと進む。
【００９０】
Ｓ７では、Ｓ２の処理において撮影は可能であるが警告すべき項目が確認されたかどうか判別する。警告すべき項目が確認されていればＳ８の処理へ移り、警告すべき項目が確認されていなければＳ９の処理へと移る。
【００９１】
Ｓ８では、エラー警告表示処理のサブルーチンを呼び出す。本サブルーチン処理の詳細については後述する。サブルーチン処理が終了するとＳ９の処理へと移る。
【００９２】
Ｓ９では、撮影関連操作がなされたかどうか確認する。
【００９３】
撮影関連操作がなされていればＳ１０の処理へ、撮影関連操作がなされていなければＳ１５の処理へと移る。
【００９４】
Ｓ１０では、ＳＷ１がＯＮされているかどうか判別する。ＳＷ１がＯＮされていればＳ１１の処理へ、ＳＷ１がＯＮされていなければＳ１の処理へ移る。
【００９５】
Ｓ１１では、測光、測距等の撮影準備動作処理を行い、Ｓ１２の処理へ進む。
【００９６】
Ｓ１２では、ＴＦＴ液晶表示装置１０７に撮影情報を表示するサブルーチンを呼び出す。本サブルーチンの処理の詳細については後述する。本サブルーチンの処理が終了するとＳ１３の処理へ進む。
【００９７】
Ｓ１３では、ＳＷ２がＯＮされているかどうか判別する。ＳＷ２がＯＮされていればＳ１４の処理へ、ＳＷ２がＯＮされていなければＳ１の処理へ移る。
【００９８】
Ｓ１４では、一連の露光処理を実行する。一連の露光処理が終了するとＳ１の処理へ移る。
【００９９】
Ｓ１５では、メニュー関連操作がなされたかどうか確認する。
【０１００】
メニュー関連操作がなされていればＳ１６の処理へ、メニュー関連操作がなされていなければＳ１７の処理へと移る。
【０１０１】
Ｓ１６では、ＴＦＴ液晶表示装置１０７に操作に対応したメニュー画面を表示し、Ｓ１５の処理へ移る。
【０１０２】
Ｓ１７では、再生関連操作がなされたかどうか確認する。再生関連操作がなされていればＳ１８の処理へ、再生関連操作がなされていなければＳ１９の処理へと移る。
【０１０３】
Ｓ１８では、ＴＦＴ液晶表示装置１０７に操作に対応した再生画面を表示し、Ｓ１５の処理へ移る。
【０１０４】
Ｓ１９では、終了関連操作がなされたかどうか確認する。終了関連操作がなされていれば本フローチャートの処理を終了し、終了関連操作がなされていなければＳ１の処理へと移る。
【０１０５】
［撮影情報表示処理］
図８は、図７のＳ１における撮影情報表示処理を示すフローチャートである。
【０１０６】
図７のＳ１の処理で本サブルーチンが呼び出されると、Ｓ２０において、姿勢検出センサ１７により、カメラの姿勢を検出し、Ｓ２１へ進む。
【０１０７】
Ｓ２１において、Ｓ２０で検出したカメラの姿勢がグリップ下方向であるかどうか判別する。
【０１０８】
カメラの姿勢がグリップ下方向であればＳ２３へ、カメラの姿勢がグリップ下方向でなければＳ２２へ進む。
【０１０９】
Ｓ２２では、ＴＦＴ液晶表示装置１０７に操作に対応した撮影情報を表示し、本サブルーチンの処理を終了する。
【０１１０】
Ｓ２３では、ＴＦＴ液晶表示装置１０７に操作に対応した撮影情報を１８０度回転して表示し、本サブルーチンの処理を終了する。
【０１１１】
Ｓ２２、Ｓ２３でのカメラの撮影情報表示態様の一例を図１０、図１１に示す。ここで、図１０は本カメラの横位置での撮影情報表示態様を例示する図、図１１（ａ）はグリップ上位置姿勢での撮影情報表示態様、図１１（ｂ）はグリップ下位置姿勢での撮影情報表示態様を例示する図である。
【０１１２】
図１０の正位置や図１１（ａ）に示すグリップ上位置の時に対して、図１１（ｂ）のグリップ下位置時には撮影情報の内容をレイアウトは変えずに１８０度回転して表示する。これにより、撮影者がグリップを上にして構えたときも、グリップを下にして構えたときも撮影者に対して表示が同じレイアウト、同じ方向で視認できるようになる。
【０１１３】
［エラー、警告表示処理］
図９は、図７のＳ４、Ｓ６、Ｓ８におけるエラー、警告表示処理を示すフローチャートである。
【０１１４】
図７のＳ４、Ｓ６、Ｓ８の処理で本サブルーチンが呼び出されると、Ｓ２４において、姿勢検出センサ１７により、カメラの姿勢を検出し、Ｓ２５へ進む。
【０１１５】
Ｓ２５において、Ｓ２４で検出したカメラの姿勢がグリップ下方向であるかどうか判別する。
【０１１６】
カメラの姿勢がグリップ下方向であればＳ２６へ、カメラの姿勢がグリップ下方向でなければＳ２７へ進む。
【０１１７】
Ｓ２６では、ＴＦＴ液晶表示装置１０７にＳ２で検出したエラー、警告に対応したエラー、警告文字を表示する。その際、エラー、警告文字の位置、大きさ、レイアウトはグリップ下位置のカメラの姿勢に対応した表示形態とする。具体的な表示形態については後述する。本処理終了後本サブルーチンの処理を終了する。
【０１１８】
Ｓ２７において、Ｓ２４で検出したカメラの姿勢がグリップ上方向であるかどうか判別する。
【０１１９】
カメラの姿勢がグリップ上方向であればＳ２８へ、カメラの姿勢がグリップ上方向でなければＳ２９へ進む。
【０１２０】
Ｓ２８では、ＴＦＴ液晶表示装置１０７にＳ２で検出したエラー、警告に対応したエラー、警告文字を表示する。その際、エラー、警告文字の位置、大きさ、レイアウトはグリップ上位置のカメラの姿勢に対応した表示形態とする。具体的な表示形態については後述する。本処理終了後、本サブルーチンの処理を終了する。
【０１２１】
Ｓ２９では、ＴＦＴ液晶表示装置１０７にＳ２で検出したエラー、警告に対応したエラー、警告文字を表示する。その際、エラー、警告文字の位置、大きさ、レイアウトは正位置のカメラの姿勢に対応した表示形態とする。具体的な表示形態については後述する。本処理終了後、本サブルーチンの処理を終了する。
【０１２２】
Ｓ２９でのカメラのエラー、警告文字の表示例を図１２、図１４、図１６に示す。また、Ｓ２８でのカメラのエラー、警告文字の表示例を図１３（ａ）、図１５（ａ）、図１７（ａ）に示す。更に、Ｓ２６でのカメラのエラー、警告文字の表示例を図１３（ｂ）、図１５（ｂ）、図１７（ｂ）に示す。ここで、図１２、図１３（ａ）、図１３（ｂ）は、Ｓ２で記録媒体２１がカメラに装填されていないことが撮影不可能なエラーとして確認され、Ｓ４で呼び出されたサブルーチン中の、それぞれＳ２９、Ｓ２８、Ｓ２６での表示状態を示している。
【０１２３】
また、図１４、図１５（ａ）、図１５（ｂ）は、Ｓ２でカメラが処理待ちの状態であることが警告として確認され、Ｓ６で呼び出されたサブルーチン中の、それぞれＳ２９、Ｓ２８、Ｓ２６の表示状態を示している。
【０１２４】
また、図１６、図１７（ａ）、図１７（ｂ）は、Ｓ２でカメラの電池残量が少ないことが警告として確認され、Ｓ８で呼び出されたサブルーチン中の、それぞれＳ２９、Ｓ２８、Ｓ２６の表示状態を示している。
【０１２５】
上記各図中において、エラー、警告は撮影情報の一部を隠す形でオーバーラップ表示されている。また、図１２乃至図１５に示すようにカメラの姿勢が縦位置の場合でも、撮影情報は同じレイアウトで表示されている。
【０１２６】
また、正位置やグリップ上位置の時に対して、グリップ下位置の時には撮影情報をレイアウトは変えずに１８０度回転して表示するので、グリップを上にして構えたときも下に構えたときも同じレイアウト、同じ方向となり視認性が良くなるように表示される。
【０１２７】
一方、エラー、警告文字はカメラの姿勢が正位置、グリップ上位置、グリップ下位置の夫々で表示内容が正立して視認できるように表示方向や撮影情報に対するレイアウトを変更して表示する。またいかなる姿勢においても、シャッタスピード３０１、絞り値３０２、露出レベル表示３０３等の主要な撮影情報は隠さないようにレイアウトされている。
【０１２８】
上記実施形態においては表示装置としてＴＦＴ液晶表示装置を用いた例を示したが、他の方式の表示装置、例えば有機ＥＬ表示装置等を適用することもできる。
【０１２９】
上記実施形態によれば、複数の数値、文字、アイコンの組み合わせからなる撮影情報はカメラの姿勢に関わらず同一レイアウトの表示形態とし、撮影情報に部分的にオーバラップして表示される文字情報はカメラの姿勢に応じて表示形態を変化させる。これにより、カメラの姿勢にかかわらず撮影情報及び文字情報のいずれもが常に視認性に優れ、カメラの姿勢が変化しても、必要な情報を迅速に認識できるような表示が可能となる。
【０１３０】
また、常に表示装置において所定の撮影情報が表示される表示領域を避けるように、カメラ姿勢に応じて文字情報の表示位置を変更する。これにより、カメラ姿勢によらず、文字情報がオーバーラップして表示されている場合でも、重要な撮影情報は常に確認することができる。
【０１３１】
また、所定の撮影情報は、シャッタスピード、絞り値、露出レベルの少なくとも１つを含むことにより、カメラ姿勢によらず、文字情報がオーバーラップして表示されている場合でもシャッタスピード、絞り値を常に確認することができる。
【０１３２】
また、カメラのグリップが下方に位置する姿勢の場合は撮影情報を１８０度回転して表示するので、カメラのグリップが上の場合と下の場合とで、表示内容が撮影者に対して同じレイアウトとなり、視認性に優れた表示が可能となる。
【０１３３】
また、文字情報はカメラのエラー又は警告内容を表す表示であることにより、カメラ姿勢によらず、撮影情報、エラー、警告のいずれについても常に視認性に優れた表示が可能となる。
【０１３４】
［他の実施形態］
本発明は、以下の処理を実行することによっても実現される。即ち、上記実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2011139491.tif 000003
【図２】
2011139491.tif 000004
【図３】
2011139491.tif 000005
【図４】
2011139491.tif 000006
【図５】
2011139491.tif 000007
【図６】
2011139491.tif 000008
【図７】
2011139491.tif 000009
【図８】
2011139491.tif 000010
【図９】
2011139491.tif 000011
【図１０】
2011139491.tif 000012
【図１１】
2011139491.tif 000013
【図１２】
2011139491.tif 000014
【図１３】
2011139491.tif 000015
【図１４】
2011139491.tif 000016
【図１５】
2011139491.tif 000017
【図１６】
2011139491.tif 000018
【図１７】
2011139491.tif 000019
【図１８】
2011139491.tif 000020
【手続補正書】
【提出日】平成23年3月10日(2011.3.10)
【手続補正１】
【補正対象書類名】特許請求の範囲
【補正対象項目名】請求項７
【補正方法】変更
【補正の内容】
【請求項７】
前記制御手段は、前記特定の文字情報が常に正視できる形態で表示されるよう前記表示手段を制御することを特徴とする請求項２または３に記載の撮像装置。